【手続補正書】
【提出日】平成28年7月5日(2016.7.5)
【手続補正１】
【補正対象書類名】特許請求の範囲
【補正対象項目名】全文
【補正方法】変更
【補正の内容】
【特許請求の範囲】
【請求項１】
電子部品の検査に用いられる検査治具に組み込まれて使用される接触子であって、導電性の接触部材と中継部材からなり、
前記接触部材は断面円形の線材であって、螺旋をなすことにより、ばね特性を有する本体部と、当該本体部の一端に続いて、螺旋の円周上にあって、螺旋の中心軸に平行となるまで方向を変える立ち上げ部と、当該立ち上げ部に続く軸状部分であり、螺旋の円周上にあって、螺旋の中心軸に平行な突出部と、当該突出部に続く先端であって、検査対象電子部品の検査部位に接触する先端と、前記本体部の他端である他端部と、を含み、
前記本体部のコイル径は、線径の３倍以上、かつ６倍以下の範囲にあり、
前記本体部側から前記突出部側に至る前記立ち上げ部の全体にわたって、変わってゆく立体的な曲げの方向に応じた方向からみた曲げ半径は、前記本体部の曲げ半径より小さくはなく、
前記中継部材は、軸状部材であって、前記本体部の内側に配置されて前記本体部の伸縮を案内する案内軸と、当該案内軸に続き、前記接触部材の前記他端部を止めかつ当該他端部と電気的に接続される連結部と、当該連結部に続き、前記中継部材の中心軸に中継端のある中継部と、を含む接触子。
【請求項２】
前記先端の形状が、検査部位と接触する接触点が接触子の外周となる斜め断面である、請求項１に記載の接触子。
【請求項３】
前記本体部が、前記立ち上げ部の側に密巻部を有している、請求項１又は２に記載の接触子。
【請求項４】
前記中継部材の前記連結部は、前記案内軸よりも径方向外方に張り出した拡幅部を有し、当該拡幅部が前記接触部材の前記他端部と当接することにより、当該他端部を止めかつ当該他端部と電気的に接続される、請求項１乃至３の何れかに記載の接触子。
【請求項５】
電子部品の検査に用いられる検査治具であって、請求項１乃至４の何れかに記載の接触子と、当該接触子を保持する接触子保持体と、当該接触子保持体に連結された電極部とを備え、
前記接触子保持体は、前記先端が露出するように前記突出部を軸方向に摺動可能に支持する案内部と、前記立ち上げ部又は前記本体部に係合することにより前記先端の所定以上の突出を係止する係止部と、前記接触子の前記本体部から前記連結部を収納する筒状空洞部と、を含み、
前記電極部は、前記接触子保持体に連結された電気絶縁性の電極板と、当該電極板を貫通するように当該電極板に固定され、一端面が前記中継部材の前記中継部に当接することにより、前記中継部に電気的に接続されるとともに、前記本体部を付勢する軸状の導電性の電極と、を含む検査治具。
【請求項６】
前記電極板には、前記電極を支持する前記筒状空洞部と同軸の同径又は同径未満の貫通孔が形成されており、前記電極は接触子の最大径よりも径が小さい、請求項５に記載の検査治具。
【請求項７】
電子部品の検査に用いられる検査治具であって、
各々が請求項１乃至４の何れかに記載の接触子である複数の接触子と、当該複数の接触子を保持する接触子保持体と、当該接触子保持体に連結された電極部とを備え、
前記接触子保持体は、前記先端が露出するように前記突出部を軸方向に摺動可能に支持する案内部と、前記立ち上げ部又は前記本体部に係合することにより前記先端の所定以上の突出を係止する係止部と、前記本体部と前記他端部とを収納する筒状空洞部と、を前記複数の接触子に個別に対応して含み、
前記電極部は、前記接触子保持体に連結された電気絶縁性の電極板を含み、
前記電極部は更に、当該電極板を貫通するように当該電極板に固定され、一端面が前記中継部材の中継部に当接することにより、前記中継部に電気的に接続されるとともに、前記本体部を付勢する軸状の導電性の電極を、前記複数の接触子に個別に対応して含み、
前記複数の接触子は、互いに隣接する一対の接触子を含み、
当該一対の接触子の各々は、請求項２に記載の接触子であり、
前記一対の接触子は、各々の前記螺旋の中心軸まわりの位置が、各々の前記突出部同士が互いに対向して近接し合う位置となるように、保持されている、検査治具。
【請求項８】
請求項１から４の何れかに記載の接触子の製造方法であって、
前記接触子の接触部材は、コイル巻線機を用い、当該コイル巻線機の押し出し長さに合わせて、曲げ半径と曲げ方向を連動して変える押出し加工により形成される、接触子の製造方法。
【手続補正２】
【補正対象書類名】明細書
【補正対象項目名】発明の名称
【補正方法】変更
【補正の内容】
【発明の名称】接触子、検査治具、及び接触子の製造方法
【手続補正３】
【補正対象書類名】明細書
【補正対象項目名】０００７
【補正方法】変更
【補正の内容】
【０００７】
プリント配線基板の４端子測定を行う場合、接触子の数が２倍となり、これに検査点の増加が相乗することにより、検査治具の全体価格が騰貴する。このように検査治具の製造コストが問題となっている。本発明は、上記の課題に鑑みてなされたもので、製造が容易であり、安価に製造でき、加えて保守も容易であって、高密度のプリント配線板への通電に好適であり、かつ４端子測定に好適な検査治具及び接触子を提供することを目的とする。
本発明はさらに、当該接触子の製造方法を提供することを目的とする。
【手続補正４】
【補正対象書類名】明細書
【補正対象項目名】０００９
【補正方法】変更
【補正の内容】
【０００９】
本発明の第２の手段は、第１の手段において、上述の先端の形状が、検査部位と接触する接触点が接触子の外周となる斜め断面である。
本発明の第３の手段は、第１又２の手段において、上述の接触部材がコイル巻線機において押出し加工により形成されている。
本発明の第４の手段は、第１乃至３の何れかの手段において、上述の接触部材の立ち上げ部の曲げ半径が、実質的に本体部の曲げ半径より縮小することなく形成されている。
本発明の第５の手段は、第１乃至４の何れかの手段において、上述の本体部のコイル径が、最小巻線径以上、かつ最小巻線径の２倍の径以下の範囲にある。
本発明の第６の手段は、第１乃至５の何れかの手段において、上述の本体部が、立ち上げ部の側に密巻部を有している。
本発明の第７の手段は、第１乃至６の何れかの手段において、上述の中継部材の大径部と中継部の径は案内軸と同径であって、大径部の位置において、他端部と連結されてなる。
【手続補正５】
【補正対象書類名】明細書
【補正対象項目名】００１０
【補正方法】変更
【補正の内容】
【００１０】
本発明の第８の手段は、電子部品の検査に用いられる検査治具であって、第１乃至７の何れかの手段による接触子と、当該接触子を保持する接触子保持体と、当該接触子保持体に連結された電極部とを備えている。接触子保持体は、先端が露出するように突出部を軸方向に摺動可能に支持する案内部と、立ち上げ部又は本体部に係合することにより先端の所定以上の突出を係止する係止部と、接触子の本体部から大径部を収納する筒状空洞部とを含んでいる。電極部は、接触子保持体に連結された電気絶縁性の電極板と、電極板を貫通するように電極板に固定され一端面が中継部材の中継部に当接することにより中継部に電気的に接続されるとともに、本体部を付勢する軸状の導電性の電極とを含んでいる。
本発明の第９の手段は、第８の手段において、電極板には、電極を支持する筒状空洞部と同軸の同径又は同径未満の貫通孔が形成されており、電極は接触子の最大径よりも径が小さい。
【手続補正６】
【補正対象書類名】明細書
【補正対象項目名】００１２
【補正方法】変更
【補正の内容】
【００１２】
本発明の第２の手段に依れば、先端の形成が容易であり、接触点が外周にあるので、２本の接触点の間隔が最小となる。
本発明の第３の手段に依れば、コイル巻線機おいて巻線にて、自動で製作できるので、製作が容易であって生産性が良い。
本発明の第４の手段に依れば、急激に曲げられることがなく、集中応力が分散するので、寿命短縮が回避される。
本発明の第５の手段に依れば、接触子の外径を小さくして、配置密度を上げることが出来る。
本発明の第６の手段に依れば、密巻部が係止を容易にする。又、密巻部は、本体部の伸縮を案内軸と摺動して案内し、それにより接触子の内部抵抗を改善する。
本発明の第７の手段に依れば、軸状の円形線材を使用してコスト低減ができる。
【手続補正７】
【補正対象書類名】明細書
【補正対象項目名】００１８
【補正方法】変更
【補正の内容】
【００１８】
図２を参照しつつ、内部の構成を説明する。接触部材１１は導電性金属のコイルばねからなる。断面円形の線材は連続して先端１１１、突出部１１２、立ち上げ部１１３、本体部１１４、他端部１１５からなっている。
先端１１１は、２つの接触子１０の接触点の間隔を最少にするために４５度の断面となっている。突出部１１２は接触子保持体３０の案内板３１の第１案内孔３１１から伸縮可能に突出することにより、被検査プリント配線板の検査端子との圧接を確保している。立ち上げ部１１３は、接触子保持体３０に保持されるために、本体部（コイルばね）１１４の円周上１１４ｃへ垂直方向に方向を変えることにより、係止孔３２２に係止されている。この係止板３２の立ち上げ部１１３の所定部分を含む係止孔３２２は、本発明の「係止部」の一具体例に相当する。係止板３２には、第１案内孔３１１と同軸に第２案内孔３２１があり、突出部１１２と本体部１１４の垂直な運動と伸縮を案内している。この２層の案内孔は本発明の「案内部」の一具体例に相当する。２層の細径の案内孔の間に、径の大きい間隔孔３１２を設けることにより、垂直な運動の案内と位置精度を確実にしている。
本体部１１４は、コイル保持板３３のコイル保持孔３３１に伸縮可能に保持されている。コイル保持孔３３１は、本発明の「筒状空洞部」の一具体例に相当する。他端部１１５は、座巻き１回のクローズドエンドである。
【手続補正８】
【補正対象書類名】明細書
【補正対象項目名】００１９
【補正方法】変更
【補正の内容】
【００１９】
中継部材１２は、図３（ｂ）に示す。形状が軸状の導電性の金属部材であって、案内軸１２１、大径部１２３、中継部１２４からなる。案内軸１２１が本体部１１４の伸縮を内側から案内している。大径部１２３の径は本体部１１４の外径と略同径であって、他端部１１５と当接して本体部１１４の圧縮の反力を受けている。中継部１２４は中継板３４の中継孔３４１に保持されて、中継端１２４ａが電極４１と接触子１０の中心軸１０ｂに位置合わせされる。中継板３４の厚さは電極４１に反力が架かる様に中継部１２４の長さより薄くなっている。
【手続補正９】
【補正対象書類名】明細書
【補正対象項目名】００２０
【補正方法】変更
【補正の内容】
【００２０】
絶縁性の案内板３１、係止板３２、コイル保持板３３及び、中継板３４は一体に固定されることにより、接触子保持体３０を構成している。図２は、多数の接触子１０を接触子保持体３０に実装し、接触子保持体３０を電極板４２に着脱可能に固定した状態を示している。立ち上げ部１１３は、係止孔３２２によって押圧され、それにより本体部１１４は圧縮する。その結果、初期荷重が電極４１に架るので、導電接続が確実なものとなる。